(57)【要約】【課題】時分割デュプレックス。【解決手段】無線環境において通信を容易とする中継器は、順方向リンク方向の通信がいつアクティブになるのか、逆方向リンク方向の通信がいつアクティブになるのかに関するスケジュールを分析するスケジューリング・コンポーネントを備え、この通信は時分割デュプレックスであるとする。増幅器は、受信した通信をスケジュールに応じて増幅する。中継器は、順方向リンク方向および逆方向リンク方向のうち１つ以上の方向の受信された通信を増幅するために増幅器を設定する設定コンポーネントをさらに備えることができる。【選択図】      図７
2009502056.tif 000002
【特許請求の範囲】
【請求項１】
ＴＤＤ無線環境において基地局とユーザ端末との間の通信を双方向に増幅する方法であって、
前記基地局と前記ユーザ端末との間のＴＤＤ通信スケジュールを中継器に提供することと、
前記スケジュールの少なくとも一部に基づいて、順方向リンク方向および逆方向リンク方向のうち１つ以上の方向の通信を選択的に増幅することと、
を備える方法。
【請求項２】
前記中継器の位置に関するデータを取得するセンサを前記中継器に関連付けることと、
前記取得したデータに応じて前記スケジュールを変更することと、
をさらに備える請求項１に記載の方法。
【請求項３】
前記順方向リンク方向の通信を受信することと、
前記順方向リンク方向の前記受信された通信を増幅するように、前記中継器に関連する増幅器を設定することと、
をさらに備える請求項１に記載の方法。
【請求項４】
前記逆方向リンク方向の通信を受信することと、
前記逆方向リンク方向の前記受信された通信を増幅するように、前記中継器に関連する増幅器を設定することと、
をさらに備える請求項１に記載の方法。
【請求項５】
増幅器を前記順方向リンク方向の通信の増幅専用にすることと、
前記スケジュールに応じて前記増幅器に電力を供給することと、
をさらに備える請求項１に記載の方法。
【請求項６】
増幅器を前記逆方向リンク方向の通信の増幅専用にすることと、
前記スケジュールに応じて前記増幅器に電力を供給することと、
をさらに備える請求項１に記載の方法。
【請求項７】
前記スケジュールに従って、前記順方向リンク方向の通信を間欠的に増幅し、前記順方向リンク方向の通信を間欠的に増幅するように、前記中継器に関連する増幅器を設定することをさらに備える、請求項１に記載の方法。
【請求項８】
前記増幅器を設定することは、前記スケジュールに従って、前記順方向リンク方向および前記逆方向リンク方向のうち１つの方向にＲＦスイッチを接続することをさらに備える、請求項７に記載の方法。
【請求項９】
前記中継器を設定することを備え、前記設定することは、
前記ユーザ端末に関連付けられた機能と同様の機能を前記中継器に関連付けることと、
前記通信スケジュールを受信するために前記機能を使用することと、
をさらに備える請求項１に記載の方法。
【請求項１０】
前記通信を増幅するために、前記スケジュールに従って増幅器を設定することをさらに備える、請求項１に記載の方法。
【請求項１１】
基地局およびユーザ端末のうちの１つ以上に対する前記中継器の位置に応じて、前記スケジュールを自動的に調節することをさらに備える、請求項１に記載の方法。
【請求項１２】
時分割デュプレックス（ＴＤＤ）無線環境において使用するための中継器装置であって、
前記ＴＤＤ無線環境にある基地局とユーザ端末との間の通信スケジュールを決定する手段と、
前記基地局と前記ユーザ端末との間の通信を増幅する手段と、
を備える中継器装置。
【請求項１３】
前記ユーザ端末は、セル式電話、パーソナル・デジタル・アシスタント、スマートフォン、ラップトップ・コンピュータ、デスクトップ・コンピュータおよび腕時計のうち１つである、請求項１２に記載の中継器装置。
【請求項１４】
前記通信は音声信号である、請求項１２に記載の中継器装置。
【請求項１５】
前記通信はコンピュータ関連のデータ信号である、請求項１２に記載の中継器装置。
【請求項１６】
前記通信は音声信号とコンピュータ関連のデータ信号との組み合わせである、請求項１２に記載の中継器装置。
【請求項１７】
前記ＴＤＤ環境にある前記基地局と前記ユーザ端末との間の前記通信スケジュールを受信する手段と、
前記受信されたスケジュールに応じて前記通信を増幅する手段と、
をさらに備える請求項１２に記載の中継器装置。
【請求項１８】
前記スケジュールを保存する手段と、
前記スケジュールを分析する手段と、
をさらに備える、請求項１７に記載の方法。
【請求項１９】
前記中継器装置に関連付けられたパラメータを検知する手段と、
前記検知されたパラメータに応じて前記通信を増幅する手段と、
をさらに備える請求項１２に記載の中継器装置。
【請求項２０】
前記パラメータは、前記中継器装置の位置、前記中継器装置に関連する速度、前記中継器装置に関連する加速度、前記中継器装置に関連する移動方向、前記中継器装置の高度のうち１つ以上である、請求項１９に記載の中継器装置。
【請求項２１】
順方向リンク方向の信号を増幅する第１の増幅器を設定する手段と、
前記順方向リンク方向の信号を増幅するために前記第１の増幅器を使用する手段と、
逆方向リンク方向の信号を増幅する第２の増幅器を設定する手段と、
前記逆方向リンク方向の信号を増幅するために前記増幅器を使用する手段と、
をさらに備える請求項１２に記載の中継器装置。
【請求項２２】
前記スケジュールに応じて、順方向リンク方向および逆方向リンク方向の信号を増幅するように増幅器を設定する手段をさらに備える、請求項１２に記載の中継器装置。
【請求項２３】
前記スケジュールに応じて増幅器の段を接続する手段をさらに備える、請求項２２に記載の中継器装置。
【請求項２４】
受信された信号が順方向リンクおよび逆方向リンクののうちの１つの方向に移動していることを検知する手段と、
前記検知された移動の方向に応じて前記受信された信号を増幅する手段と、
をさらに備える請求項１２に記載の中継器装置。
【請求項２５】
無線環境での通信を容易にする中継器であって、
前記順方向リンク方向の通信がいつアクティブになるのか、前記逆方向リンク方向の通信がいつアクティブになるのかに関するスケジュールを分析するスケジューリング・コンポーネントであって、前記通信は時分割デュプレックスであるスケジューリング・コンポーネントと、
受信された通信を前記スケジュールに応じて増幅する増幅器と、
を備える中継器。
【請求項２６】
基地局とユーザ端末との間の通信を監視し、前記スケジュールの送信を検出するインターフェース・コンポーネントをさらに備える、請求項２５に記載の中継器。
【請求項２７】
前記スケジュールを受信するアンテナをさらに備える、請求項２６に記載の中継器。
【請求項２８】
順方向リンク方向および逆方向リンク方向のうち１つ以上の方向の前記受信された通信を増幅するように前記増幅器を設定する設定コンポーネントをさらに備える、請求項２５に記載の中継器。
【請求項２９】
前記設定コンポーネントは、前記スケジュールに応じて適切な増幅器の段にＲＦスイッチを選択的に接続する、請求項２８に記載の中継器。
【請求項３０】
前記中継器に関して検知されたパラメータに応じて前記スケジュールを変更する補償コンポーネントをさらに備える、請求項２５に記載の中継器。
【請求項３１】
前記検知されたパラメータは、前記中継器の位置、前記中継器の速度、基地局の位置、ユーザ端末の位置、前記中継器の移動方向、前記中継器の加速度、および前記中継器の高度のうち１つ以上に関連付けられる、請求項３０に記載の中継器。
【請求項３２】
前記中継器の位置を検知する全地球測位システム（ＧＰＳ）センサをさらに備える、請求項３０に記載の中継器。
【請求項３３】
前記無線通信環境は、ＴＤ−ＳＣＤＭＡ環境およびＴＤ−ＣＤＭＡ環境のうち１つである、請求項２５に記載の中継器。
【請求項３４】
前記スケジュールを受信するように同調されるアンテナをさらに備える、請求項２５に記載の中継器。
【請求項３５】
前記受信されたスケジュールを保持するデータストアと、
前記スケジュールに従う前記増幅器の設定を容易にするプロセッサと、
をさらに備える請求項３４に記載の中継器。
【請求項３６】
前記中継器は移動端末である、請求項２５に記載の中継器。
【請求項３７】
前記無線通信環境はＴＤ−ＳＣＤＭＡである、請求項２５に記載の中継器。
【請求項３８】
無線環境での通信を容易にするシステムであって、
ＴＤＤプロトコルに従ってユーザ端末との通信用のスケジュールを発行する基地局と、
前記スケジュールを受信し、前記スケジュールに従って前記基地局と前記ユーザ端末との間の通信を増幅する中継器と、
を備えるシステム。
【請求項３９】
前記無線環境は、時分割同期符号分割多元接続（ＴＤ−ＳＣＤＭＡ）である、請求項３８に記載のシステム。
【請求項４０】
前記基地局は、ＴＤＤプロトコルに従って複数のユーザ端末との通信用のスケジュールを発行し、前記中継器は、前記スケジュールに従って前記基地局と前記複数のユーザ端末との間の通信を増幅する、請求項３８に記載のシステム。
【請求項４１】
ＴＤＤプロトコルに準拠した前記基地局とユーザ端末との間の通信スケジュールに関し基地局によって発行される制御命令を識別し、
前記制御命令に応じて、前記基地局と前記移動ユニットとの間で好ましく送信される信号を増幅する増幅器を設定する、
コンピュータ実行可能命令を有するコンピュータ可読媒体。
【請求項４２】
前記制御命令に応じて増幅器の段にＲＦスイッチを接続するためのコンピュータ実行可能命令をさらに備える、請求項４１に記載のコンピュータ可読媒体。
【請求項４３】
前記制御命令に応じて増幅器に電力を選択的に供給するためのコンピュータ実行可能命令をさらに備える、請求項４１に記載のコンピュータ可読媒体。
【請求項４４】
中継器に関して検知されたパラメータに応じて前記スケジュールを変更するためのコンピュータ実行可能命令をさらに備える、請求項４１に記載のコンピュータ可読媒体。
【請求項４５】
信号を増幅する命令を実行するマイクロプロセッサであって、前記命令は、
ＴＤＤ無線環境の通信スケジュールを認識することと、
前記認識された通信スケジュールに従って増幅器を設定することと、
を備えるマイクロプロセッサ。
【発明の詳細な説明】
【技術分野】
【０００１】
本明細書は、一般に無線通信に関し、特に時分割デュプレックス（time-division duplex：ＴＤＤ）環境における中継器に関する。
【背景技術】
【０００２】
遠くはない過去において、一般に移動通信デバイス、特に移動電話は、かなりの収入のある人々にしか手の届かない贅沢な品であった。さらに、これらの移動電話はサイズがかなり大きく、携帯性を高めるには不都合であった。例えば、現在の移動電話（および他の移動通信デバイス）と比べると、少し以前の移動電話は、使用者のポケットまたはハンドバッグに入れると不快さを非常に感じるものであった。移動電話に関しての欠点に加え、これらの電話にサービスを提供していた無線通信ネットワークも信頼性が低く、対応する地理的エリアも不十分で、不適切な帯域幅に対応付けられていたほかにも、さまざまな欠点があった。
【０００３】
上記の移動電話とは対照的に、現在では、無線ネットワークを使用する移動電話および他のデバイスが一般的となっている。現在の移動電話は、極めて携帯しやすいうえに高価ではない。例えば、典型的な最新の移動電話は、使用者が電話の存在を忘れるほど気楽にハンドバックに入れることができる。さらに、無線サービスプロバイダが、高機能な移動電話を無線サービスの契約者に無料で提供することもよくある。ここ数年の間に、無線通信を伝送および／または中継するタワーが多数建設されたため、米国（他のいくつかの国でも）のかなり多くの場所が無線の対象範囲になっている。したがって、（何十億人とまではいかなくとも）何百万人もの人が移動電話を所持し、利用している。
【０００４】
音声データ以外のデータも無線通信ハードウェアおよびソフトウェアを備えたデバイスによって送受信できるため、前述のような技術の進歩は移動電話だけに限らない。例えば、いくつかの大都市圏では都市全域にわたる無線ネットワークを導入したり、導入を計画していたりするため、無線機能のあるデバイスは、ネットワーク（例えば、インターネット）にアクセスし、そのネットワーク上にあるデータと情報交換することができる。さらに無線ネットワークを経由して、２台以上のデバイス間でデータのやりとりをすることもできる。技術が絶え間なく進歩するとすれば、無線でやりとりするユーザ、デバイス、およびデータ形式の数が急速に増え続けることが予期できる。
【０００５】
時分割デュプレックス（ＴＤＤ）は、音声通信および他のデータの送受信用の無線環境において現在使用されているプロトコルの１つの例である。ＴＤＤシステムでのユーザ端末と基地局との間の双方向通信は、別々のタイムスロットにて同一の周波数で発生する（例えば、ＲＦチャネルの中心周波数は順方向および逆方向リンクとほぼ同様である）。特に、基地局がユーザ端末へデータを配信しているときは、ユーザ端末はリッスン中であり、基地局とは通信しない。同様に、ユーザ端末が基地局へデータを配信しているときは、基地局はリッスン中であり、ユーザ端末へのデータ配信を試みることはない。したがって、ＴＤＤシステムでは、ユーザ端末および基地局は、互いに対して同一の周波数で同時にデータを配信しない。
【０００６】
無線プロトコルの中には、通信範囲を広げるために、移動通信ユニット（例えば、セル式電話、パーソナル・デジタル・アシスタントなど）と基地局との間に無線中継器を用いるものもある。中継器は、基地局とユーザ端末との間の信号を受信し、受信した信号を増幅し、それらの信号を再送する。中継器は、以前であれば基地局からのサービスを受けられなかったカバレッジホールへの通信サービスを提供するために使用することができる。さらに中継器は、カバレッジ・エリアの位置を移動させたり、カバレッジ・エリアの形状を変えたりして、セクタのカバレッジ・エリアを増やすことができる。したがって、無線通信環境において中継器の使用が非常に望まれることが多くなっている。
【０００７】
しかし、ＴＤＤシステム内での中継器の使用に関しては、さまざまな問題がある。特に、ＴＤＤシステムにおいて双方向の信号を連続して増幅すると、中継器に振動を生じさせ、これによって中継器が所望の信号を増幅できず、無線システム内に干渉が生じる。しかし、中継器を活用しなければ、ＴＤＤシステムの機能を十分に発揮することができない。
【発明の開示】
【０００８】
以下は、１つ以上の実施形態の態様のいくつかを基本的に理解できるように、これらの実施形態の簡略化した概要を示すものである。本概要は、１つ以上の実施形態の広範な概要ではなく、実施形態の主要なまたは重要な要素を特定したり、このような実施形態の範囲を詳細に説明したりするものでもない。ここでの目的は、後述のさらに詳細な説明の前置きとして簡略化した形式での実施形態の概念を単にいくつか示すものである。
【０００９】
開示される実施形態は、時分割同期符号分割多元接続（time division synchronous code division multiple access：ＴＤ−ＳＣＤＭＡ）環境および時分割符号分割多元接続（time division code division multiple access：ＴＤ−ＣＤＭＡ）環境のようなＴＤＤ無線環境において、信号を増幅するために使用できるシステム、方法、製品およびその類に関する。このような無線環境において増幅を実行するために、基地局によって発行される通信スケジュール（communications schedule）を中継器によって受信でき、これを増幅器の設定に使用することができる。したがって、例えば中継器は、スケジュールを認識し受信するために、ユーザ端末内にある機能と同様の機能を含み使用することができる。その後、受信されたスケジュールは、基地局とユーザ端末との間に送信される信号を増幅するようにに増幅器を設定することに関連して使用することができる。特に、スケジュールに従って発生する順方向リンク方向および逆方向リンク方向の通信を増幅するように増幅器を設定することができる。このようにして、中継器はＴＤＤ環境（TDD environment）において送信される信号を振動を起こさず、このような環境内に干渉を起こさず適切に増幅できる。中継器を使用することで、基地局のカバレッジ・エリアを広げることができ、および／またはカバレッジ・エリアのホールを埋めることができる。基地局と複数のユーザ端末との間の通信を増幅するために中継器を使用できるが、ここでのユーザ端末は、セル式電話、スマートフォン、パーソナル・デジタル・アシスタント、ラップトップ・コンピュータ、デスクトップ・コンピュータ、腕時計、これらの組み合わせ、およびその類とすることができる。
【００１０】
ここに記載の態様によれば、ＴＤＤ無線環境において基地局とユーザ端末との間の通信を双方向に増幅する方法は、基地局とユーザ端末との間のＴＤＤ通信スケジュールを中継器に提供することと、スケジュールの少なくとも一部に基づいて、順方向リンク方向および逆方向リンク方向のうち1つ以上の方向の通信を選択的に増幅することとを備える。センサは、中継器の位置に関するデータを取得するように中継器に関連付けることができ、スケジュールは、取得したデータに応じて変更することができる。さらに、中継器に関連する増幅器は、順方向リンク方向および／または逆方向リンク方向の受信された通信を増幅するように設定できる。同様に、１つ以上の増幅器は、順方向リンク方向および逆方向リンク方向の通信の増幅専用にすることができ、このような増幅器にスケジュールに応じて電力を供給することができる。
【００１１】
別の態様によれば、ＴＤＤ無線通信環境において中継器を設定する方法は、ユーザ端末に関連付けられた機能と同様の機能を中継器に関連付けることと、ＴＤＤ無線環境における通信のスケジュールを受信するための機能を使用することと、受信されたスケジュールに従って受信された信号を増幅することとを含む。この方法は、基地局およびユーザ端末のうちの１つ以上に対する中継器の位置に応じて、スケジュールを自動的に調節することをさらに含む。
【００１２】
ここに記載のさらに別の特徴によれば、中継装置は、ＴＤＤ環境において基地局とユーザ端末との間の通信スケジュールを受信するシステムと、受信されたスケジュールに応じて信号を増幅する増幅器またはその類のものを含む。この装置はさらに、中継器装置に関連付けられたパラメータを検知できるセンサと、検知されるパラメータに応じて信号を増幅できる１つ以上の増幅器を含む。この検知されるパラメータは、中継器装置の位置、中継器装置に関する速度、中継器装置に関する加速度、中継器装置に関する移動方向、および中継器装置の高度のうちの１つまたは複数である。さらに、この装置は、順方向リンク方向の信号を増幅する第１の増幅器を設定でき、逆方向リンク方向の信号を増幅する第２の増幅器を設定できる１つ以上のコンポーネントのほか、スケジュールに応じて順方向リンク方向および逆方向リンク方向の信号を増幅するように増幅器を設定できる設定コンポーネントを含むことができる。
【００１３】
さらに別の態様によれば、ＴＤＤ無線環境において使用するための中継器装置は、ＴＤＤ無線環境においての基地局とユーザ端末との間の通信スケジュールを決定することができるスケジューリング・コンポーネントと、基地局とユーザ端末との間の通信を増幅することができる増幅器とを含む。ここでの通信は音声信号、コンピュータ関連のデータ信号、またはそれらの組み合わせである。
【００１４】
別の態様において、無線環境において通信を容易とする中継器は、順方向リンク方向の通信がいつアクティブになるのか、逆方向リンク方向の通信がいつアクティブになるのかに関するスケジュールを分析するスケジューリング・コンポーネントであって、この通信は時分割デュプレックスであるスケジューリング・コンポーネントを含む。こうして増幅器は、スケジュールに応じて受信した通信を増幅できる。中継器はさらに、基地局とユーザ端末との間の通信を監視し、スケジュールの送信を検出するインターフェース・コンポーネントを備え、さらに順方向リンク方向および逆方向リンク方向のうち１つ以上の方向の受信された通信を増幅するよう増幅器を設定する設定コンポーネントを含む。ここでは、設定コンポーネントは、スケジュールに応じてＲＦスイッチ（RF switch）を増幅器の適切な段に選択的に接続する。
【００１５】
本願明細書でさらに詳細に記載された別の態様によれば、無線環境において通信を容易とさせるシステムは、ＴＤＤプロトコルに従ってユーザ端末との通信用のスケジュールを発行する基地局と、スケジュールを受信しスケジュールに従って基地局とユーザ端末との間の通信を増幅する中継器とを含む。
【００１６】
さらに別の態様において、無線通信環境において信号の増幅を容易とする中継器は、基地局とユーザ端末との間の通信スケジュールを受信するように同調されるアンテナを含む。このスケジュールは、ＴＤＤプロトコルに準拠している。このアンテナに関連付けられた増幅器は、その後、アンテナによって受信された信号を通信スケジュールに応じて増幅するように設定できる。中継器は、受信されたスケジュールを保持するデータストアと、通信スケジュールに従う増幅器の設定を容易にするプロセッサとをさらに含むことができる。
【００１７】
さらに別の態様において、コンピュータ可読媒体は、ＴＤＤプロトコルに準拠した基地局とユーザ端末との間の通信スケジュールに関し、基地局によって発行される制御命令を識別し、基地局と移動ユニットとの間で好ましく送信される信号を制御命令に応じて増幅するように増幅器を設定するためのコンピュータ実行可能命令を有することができる。さらに別の態様において、マイクロプロセッサは信号を増幅する命令を実行することができ、この命令は、ＴＤＤ無線環境の通信スケジュールを認識することと、認識された通信スケジュールに従って増幅器を設定することとを備える。
【００１８】
前述および関連する目的を達成するため、１つ以上の実施形態には、以下に完全に説明される特徴、特に特許請求の範囲で指摘される特徴が含まれる。以下の説明および添付の図面は、１つ以上の実施形態の特定の例としての態様を詳細に開示するものである。ただし、これらの態様は、種々の実施形態の原理を使用できる種々の方法のうちの数例を示しているに過ぎず、記載された実施形態はこのような態様および同等物すべてを含むものとする。
【００１９】
［詳細な記述］
ここで図面を参照しながら様々な実施形態を説明するが、全体を通して同じ参照符号は同様の要素を示すために使用されている。以下の記載において、本願明細書に記載の様々な態様を完全に理解するために、説明の目的で具体的な内容が多く開示されている。しかし、このような態様をこれらの特定の詳細なしに実施することもできることは明らかであろう。別の例では、これらの態様の説明を容易とするために、周知の構造およびデバイスがブロック図の形式で示されている。
【００２０】
本出願で使用されているような、「コンポーネント」、「ハンドラ」、「モデル」、「システム」等の用語は、ハードウェア、ハードウェアおよびソフトウェアの組み合わせ、ソフトウェア、または実行中のソフトウェアのいずれかのコンピュータ関連のエンティティを示すものとする。例えば、コンポーネントはプロセッサ上で実行するプロセス、プロセッサ、オブジェクト、実行ファイル、実行のスレッド、プログラム、および／またはコンピュータであればよいが、これに限定されない。例として、コンピュータ・デバイス上で動作するアプリケーションおよびコンピュータ・デバイスのどちらもコンポーネントとすることができる。１つ以上のコンポーネントがプロセスおよび／または実行のスレッド内にあってもよく、コンポーネントは１台のコンピュータ・デバイス上に配置され、かつ／または２台以上のコンピュータ・デバイス間に分散されてもよい（例えば、これは移動ユニット上にあってもよい）。さらに、これらのコンポーネントは、様々なデータ構造が格納された様々なコンピュータ可読媒体から実行できる。コンポーネントは、１つ以上のデータパケット（例えば、ローカルシステム、分散システムおよび／またはインターネットのような信号によって他のシステムと繋がるネットワークの別のコンポーネントと交信する１つのコンポーネントからのデータ）を有する信号に従うなどして、ローカルおよび／または遠隔のプロセスを経由して通信できる。
【００２１】
さらにここで、加入者局に関しての様々な実施形態を説明する。加入者局は、システム、加入者ユニット、移動局、移動体、遠隔局、アクセスポイント、基地局、遠隔端末、アクセス端末、ユーザ端末、ユーザ・エージェント、またはユーザ装置と呼ぶこともできる。加入者局は、セル式電話、コードレス電話、セッション開始プロトコル（Session Initiation Protocol：ＳＩＰ）電話、ワイヤレス・ローカル・ループ（wireless local loop：ＷＬＬ）局、パーソナル・デジタル・アシスタント（ＰＤＡ）、無線接続機能を有する携帯用デバイス、または無線モデムに接続された他の処理デバイスであればよい。
【００２２】
さらに、本願明細書に記載の様々な態様または機能は、標準的なプログラミングおよび／またはエンジニアリング技術を用いた方法、装置、製品として実現できる。ここで使用される「製品」という用語は、任意のコンピュータ可読デバイス、キャリア、または媒体からアクセス可能なコンピュータ・プログラムを含めるものとする。例えば、コンピュータ可読媒体には、磁気記憶デバイス（例えば、ハードディスク、フロッピー（登録商標）ディスク、磁気ストリップ等）、光学ディスク（例えば、コンパクト・ディスク（ＣＤ）、デジタル多用途ディスク（ＤＶＤ）等）、スマートカード、およびフラッシュ・メモリ・デバイス（例えば、カード、スティック、キードライブ等）を含めることができるが、これに限定されない。
【００２３】
ここで図面を参照すると、図1は時分割デュプレックス（ＴＤＤ）環境に使用できる中継器の上位レベル図を示している。特に図１には、順方向および逆方向のリンク方向の双方向において通信を受信および増幅することができる中継器１００が示されている。ここで、順方向リンク（すなわちダウンリンク）とは、基地局のような固定位置からからユーザ端末までのリンクを示し、逆方向リンク（すなわちアップリンク）とはユーザ端末から基地局までのリンクを示している。従来は、時分割同期符号分割多元接続方式（ＴＤ−ＳＣＤＭＡ）のようなＴＤＤ通信環境にある中継器は、一方向（例えば、逆方向リンクまたは順方向リンク方向）の増幅が他方向の通信に悪影響を及ぼすことがあるため、実現されていなかった。中継器１００は、基地局とユーザ端末との間に通信が発生したことを認識するスケジューリング・コンポーネント１０２の使用によって、ＴＤＤ環境での通信の増幅を可能にする。例えば、ＴＤＤ通信環境内のユーザ端末は、自身と基地局との間の送信スケジュールを認識することができるので、スケジューリング・コンポーネント１０２は、ユーザ端末内にある機能と同様な機能を含むことができる。
【００２４】
１つの例において、スケジューリング・コンポーネント１０２は、基地局によって発行され、ユーザ端末との通信に使用されるスケジュール１０４を受信することができる。さらに詳しくは、基地局はスケジューリング・コンポーネント１０２によって受信されるスケジュール１０４に従って、ユーザ端末と通信する。一般に、ＴＤＤ環境において、このような環境内での通信を可能とするために、様々な長さのタイムスロットがスケジューリングされる。これらのタイムスロットは一般にミリ秒の長さであり、通信環境内のデバイスの必要に応じて変更できる。例えば、ユーザ端末と基地局との間の通信を最適化するのに、逆方向リンク方向の通信にさらに多大な時間（例えば、タイムスロット期間内の多大な時間）を要することが明らかな場合、基地局がスケジュールを決定し、ユーザ端末にそれを提供することができる。関連する態様によれば、順方向および逆方向においてのタイムスロットの長さを定義することによって、通信のスケジューリングができ、各方向でのスロット数を定義することによって、スケジューリングが始められる。ただし、ＴＤＤ環境においてのスケジューリングの適切な方法はいずれも、本願明細書に添付の特許請求の範囲の内に該当するものとする。スケジューリング・コンポーネント１０２は、ユーザ端末に提供される通信のスケジュールとほぼ同様なスケジュール１０４を受信することができる。例えば、基地局によって発行されるスケジュールは、このようなスケジューリング・コンポーネント１０２によって受信された信号を分析することによって、当該スケジューリング・コンポーネント１０２によって検出できる。特に、基地局は、１つまたは一連のコードの使用によってスケジュールが配信されたことを示すことができ、スケジューリング・コンポーネント１０２は、スケジュール１０４を受信するために、この（複数の）コードを検出できる。したがって、スケジューリング・コンポーネント１０２は、スケジュール１０４を受信するために、アンテナのような各種の信号受信コンポーネントを含むことができ、さらにスケジュール１０４の認識および分析を可能とするためにプロセッサを含むことができ、および／またはプロセッサに関連付けることができる。例えば、ＴＤ−ＣＤＭＡ環境のネットワークのユニバーサル・モバイル・テレコミュニケーション・システム無線アクセス・ネットワーク（Universal Mobile Telecommunication System Trrestrial Radio Access Network：ＵＴＲＡＮ）部は、このような環境でのスケジューリングを担当することができる。
【００２５】
中継器１００はさらに、受信されるスケジュール１０４に従ってＴＤＤ環境内での通信を増幅する少なくとも１つの増幅器１０６を含む。例えば、最初のタイムスロットの間に順方向リンクで通信が発生し、その後に２つめのタイムスロットの間に逆方向リンクで通信が発生することをスケジュール１０４が示していると、スケジュール１０４に従って適切な方向で増幅をするように、増幅器１０６を予め設定することができる。増幅器１０６は、本願明細書に記載の新規な特徴に関しての発明者の考えから逸脱することなく、数多くの別の方法によって設定することもできる。例えば、増幅器１０６は、順方向リンクおよび逆方向リンクの双方向での通信を増幅するように設定された１つ以上の増幅器とすることができる。特に、増幅器１０６によって提供される増幅の極性を逆にするために、切り替えの技術を使用できる。関連する態様において、増幅器１０６は、順方向リンクの通信を増幅するために第１のセットの増幅器を使用し、逆方向リンクの通信を増幅するために第２のセットの増幅器を使用する複数の増幅器を含むことができる。例えば、スケジュール１０４に従って、第１および第２のセットの増幅器に電力を間欠的に(intermittently)提供することができる。なお、適切な増幅器の設定であればどんなものでも、中継器１００と関連して使用できる。
【００２６】
ＴＤＤ無線通信環境における中継器１００の使用例を次に示す。基地局がユーザ端末との通信のためのスケジュールを発行し、中継器１００がこのスケジュールを取得する。次いで、基地局とユーザ端末とが、所定の周波数、コードチャネル、伝送媒体などを利用して、スケジュール１０４に従って間欠的に通信する。例えば、最初にスケジューリングされたタイムスロットで、基地局がユーザ端末への順方向のリンク方向に通信でき、その後２番目にスケジューリングされたタイムスロットで、ユーザ端末が基地局への逆方向のリンク方向に通信できる。スケジューリング・コンポーネント１０２はスケジュール１０４を認識し、このスケジュール１０４に従って増幅器１０６の設定を支援する。このため、中継器１００は、順方向のリンク方向の通信を受信し、この通信を増幅でき、同様に逆方向のリンク方向の通信を受信し、この通信を増幅できる。さらに、中継器１００は双方向の通信を搬送する周波数帯域を同時に増幅しないため、中継器１００が振動せず、無線ＴＤＤ環境内で不要な干渉が発生しない。1つの態様によれば、中継器１００は、基地局と中継器１００との通信のカバレッジ・エリア内にある移動ユニットに関する少なくとも大部分のスケジュールを知っていればよい。このため、１つの例として、中継器１００の順方向リンクカバレッジ・エリアに複数のユーザがいる場合、スケジューリング・コンポーネント１０２が各ユーザ用のスケジュールにアクセスできる。さらに、中継器１００は、無線通信線、有線通信線（例えば、電話線、ケーブル線、光ファイバー線等）、または無線および有線通信の組み合わせを含めた任意の方法によってスケジュール１０４を受信できる。
【００２７】
中継器１００は、デバイス間の双方向通信用の時分割デュプレックスを使用した任意の適切な通信環境で使用することができる。例えば、中継器１００はセル式電話の場合に使用できる。さらに、中継器１００はほぼ同様の周波数で動作する緊急伝送デバイスに関連させて使用することもできる。さらに、中継器１００は、コンピュータのデータ伝達に関連させて使用することもできる。したがって、上記の例によれば中継器１００は、規定の周波数にてスケジュールが使用される任意の適切な無線環境または状況で使用できることがわかる。
【００２８】
ここで図２を参照すると、ＴＤＤ無線通信環境内で使用できる中継器２００が示されている。中継器２００には、スケジュール２０４を受信するスケジューリング・コンポーネント２０２が含まれており、このスケジュール２０４は順方向リンク方向および逆方向リンク方向で通信が発生する時間を示す。中継器２００は、基地局およびユーザ端末が通信に使用する周波数、コードチャネル、データパス等を監視することによってスケジュール２０４を取得できる。このスケジュール２０４は、前述の、周波数、コードチャネル、および／またはデータパス上に発行される。さらに、中継器２００は、スケジュール２０４を取得するために、（例えば、ＣＤＭＡ関連システム内の）コードチャネル、基地局から利用可能なデータパス、または他の任意の適切な伝送エンティティおよび／または技術を監視できる。スケジューリング・コンポーネント２０２は、（例えば処理デバイスの使用によって）受信したスケジュールを分析し、設定コンポーネント２０６と通信できる。特に、スケジューリング・コンポーネント２０２は、スケジュールに従って中継器２００内の増幅器を設定するように設定コンポーネント２０６に指示することができる。このように、増幅器は、通信が順方向に行われるときには順方向リンク方向に増幅し、通信が逆方向に行われるときには逆方向リンク方向に増幅する。
【００２９】
中継器２００は、順方向リンク増幅器２０８および逆方向リンク増幅器２１０を含む。増幅器２０８および２１０には、スケジュール２０４に従ってそれぞれの方向に行われる通信の増幅を割り当てることができる。例えば、設定コンポーネント２０６は、スケジュール２０４に従って、順方向リンク増幅器２０８および逆方向リンク増幅器２１０に電力が間欠的に供給されるようにすることができる。例えば、設定コンポーネント２０６は、所望の方向に増幅されるように、スイッチを開けたり、閉じたりさせることができる。作動中、中継器２００は、ユーザ端末がスケジュール２０４を受信するのとほぼ同様の方法で、基地局からスケジュール２０４を受信する。これに続いて、スケジュール２０４に従って、基地局とユーザ端末との間の通信が行われる。スケジューリング・コンポーネント２０２は、スケジュール２０４を分析し、スケジュール２０４に応じた順方向リンク増幅器２０８および逆方向リンク増幅器２１０の設定に関して、設定コンポーネント２０６と通信することができる。したがって、中継器２００によって順方向リンクの通信が受信でき、このような通信を中継器２００によって増幅できる。同様に、増幅器２００によって、振動および／または干渉が無線通信システム内で発生することなく、逆方向リンク通信を受信および増幅できる。
【００３０】
ここで図3を参照すると、ＴＤＤ無線通信環境内で使用できる中継器３００が示されている。中継器３００は、ＴＤＤ環境で基地局のカバレッジ範囲を広げるために使用される。中継器３００は、基地局とユーザ端末との間で、順方向リンク方向および逆方向リンク方向で通信が発生するタイムスロットに関してのスケジュール３０４を基地局から受信するスケジューリング・コンポーネント３０２を含む。スケジュール３０４は、ユーザ端末がＴＤＤ環境において通信スケジュールを受信する方法とほぼ同様の方法で受信できる。したがって、ユーザ端末が利用可能な制御チャネル情報（例えばスケジュール３０４）をスケジューリング・コンポーネント３０２に対しても利用可能とすることができる。
【００３１】
スケジューリング・コンポーネント３０２は、スケジュール３０４を分析し、分析の結果について設定コンポーネント３０６と通信できる。例えば、スケジューリング・コンポーネント３０２は、順方向リンク方向および逆方向リンク方向に通信が行われる正確な時間を設定コンポーネント３０６に通知することができる。さらに、スケジューリング・コンポーネント３０２は、設定コンポーネント３０６にいずれの方向にも通信が行われないガードタイムスロット（順方向リンク通信用にスケジューリングされたタイムスロットと逆方向リンク通信用にスケジューリングされたタイムスロットとの間の空白期間）を通知できる。続いて、設定コンポーネント３０６は、スケジュール３０４に従って増幅器３０８または増幅器３００内の増幅器のセットを設定できる。これによって、同じ増幅器または増幅器のセットが、順方向リンクおよび逆方向リンクの双方向での通信および／または信号を増幅できるようになる。例えば、設定コンポーネント３０６では、増幅器の段を適切な方向（例えば、順方向リンク方向または逆方向リンク方向）に接続するためにＲＦスイッチを使用することもできる。
【００３２】
作動中、スケジューリング・コンポーネント３０２は、基地局からスケジュール３０４を受信できる。ここで、基地局とユーザ端末との間に順方向リンク方向および逆方向リンク方向の通信がいつ発生するかを判断するために、スケジュール３０４を分析することができる。スケジューリング・コンポーネント３０２は、スケジューリング情報を設定コンポーネント３０６に中継でき、その後設定コンポーネント３０６は、関連するスイッチの設定をいつ変更するかについての指示を増幅器３０８に提供できる。中継器３００は、スケジュール３０４に従って順方向リンク通信を受信でき、増幅器３０８は適切な方向の通信を増幅するように設定される。同様に、中継器３００は、スケジュール３０４によって定められたように逆方向リンク通信を受信でき、増幅器３０８は適切な方向の通信を増幅するように設定される。
【００３３】
ここで図４を参照すると、ＴＤＤ環境において使用できる中継器４００が示されている。ここでは、干渉を生じることなく、順方向リンク方向および逆方向リンク方向の通信を増幅するために、中継器４００が使用される。中継器４００には、基地局からスケジュール４０４を受信するスケジューリング・コンポーネント４０２が含まれており、スケジュール４０４は、通信がいつ順方向リンク方向に配信されるのか、通信がいつ逆方向リンク方向に配信されるのかに関する情報を示す。スケジューリング・コンポーネント４０２は、例えば、スケジュール４０４を受信するためのユーザ端末として作動する。中継器４００はさらに、中継器４００に関連するパラメータを検知する１つ以上のセンサ４０６を含むことができる。例えば、中継器４００は、自動車、電車、飛行機、およびその類の移動エンティティ上に置くことができ、基地局および／またはユーザ端末に対する中継器４００の位置、移動速度、加速度、移動方向等を決定するためにセンサ４０６を使用できる。例えば、センサ４０６としては、全地球測位システム（Global Positioning System：ＧＰＳ）センサ、または他の適切な位置関連センサのほか、速度計、加速度計、およびその類のものを含めることができる。
【００３４】
スケジューリング・コンポーネント４０２は、センサ４０６によって取得されるパラメータの受信も行う補償コンポーネント４０８にスケジュール４０４を中継する。補償コンポーネント４０８は、中継器４００によって受信される通信を増幅器４１０が選択的に増幅するよう増幅器４１０を設定するために、中継器４００および／またはユーザ端末の位置および移動度を補償する。さらに詳しくは、地理的な距離のある通信の伝送に関しては遅延が起こるため、中継器４００が移動体の場合、スケジュール４０４を厳密に集めることができないことがある。それどころか、ＴＤＤ環境において基地局とユーザ端末との間の通信を好ましく増幅するには、若干の調整が必要となることもある。具体例として、中継器４００が基地局からさらに離れた場所へ移動するにつれて、基地局から中継器に転送される通信時間がかなり多く必要になる。補償コンポーネント４０８がないと、増幅器４１０を設定するためのスケジュールを厳守することになり、中継器４００の最適なパフォーマンスを下回る結果になりかねない。しかし、補償コンポーネント４０８では、スケジュール４０４および検知されたパラメータが与えられるため、増幅器４１０の設定の調節をダイナミックに行い、中継器４００の最適なパフォーマンスを実現できる。さらに、補償コンポーネント４０８は、検知されたパラメータに加え、基地局の地理的位置に関連する情報のほか、ユーザ端末の位置および移動方向などに関するパラメータにもアクセスすることができる。したがって、移動中継器４００は、順方向リンクおよび逆方向リンクの双方向の通信を受信でき、無線環境に干渉を生じさせることなく選択的通信を増幅できる。
【００３５】
ここで図５を参照すると、ＴＤＤ無線通信環境内での選択的な増幅を容易にするシステム５００が示されている。システム５００は、ユーザ端末５０４と通信する基地局５０２を含む。移動電話であるように示されているが、ユーザ端末５０４は、パーソナル・デジタル・アシスタンス、ラップトップ・コンピュータ、スマートフォン、腕時計、デスクトップ・コンピュータ等の任意の適切な音声またはデータ受信デバイスとすることもできる。基地局５０２は、基地局５０２とユーザ端末５０４との間に順方向に通信が行われる時および逆方向に通信が行われる時をユーザ端末５０４に知らせる制御情報を出力する。制御情報は、以下スケジュール５０６と称す。スケジュール５０６は、ユーザ端末５０４によって受信され、中継器５０８によっても受信される。中継器５０８は、例えばユーザ端末５０４内の機能と同様の機能を含むことができるため、スケジュール５０６の受信および認識が可能となる。
【００３６】
スケジュール５０６の受信を容易にするために、インターフェース・コンポーネント５１０を中継器５０８に関連付けることができる。例えば、インターフェース・コンポーネント５１０は、アンテナ、スケジュールの受信および分析を可能にさせるソフトウェアなどとすることができる。中継器５０８は、スケジュール５０６の保存を可能にするデータストア５１２をさらに含むことができる。データストア５１２は、ＲＡＭ、ＥＰＲＯＭ、ＥＥＰＲＯＭ、任意のディスク構造、およびその類などを含めた任意の適切な形式とすることができる。スケジュール５０６を受信および分析すると、中継器５０８は、基地局５０２とユーザ端末５０４との間の順方向および逆方向リンクの双方向の通信を、システム５００内に干渉を発生させることなく増幅できる。
【００３７】
ここで図６を参照すると、時間およびエネルギーに関してのスケジュールの例を示すグラフ６００が示されている。グラフ６００は、ＴＤＤ無線環境でのものとすることができる。グラフ６００には、順方向リンク方向（例えば、基地局からユーザ端末）の通信用にスケジューリングされるタイムスロット、逆方向リンク方向（例えば、ユーザ端末から基地局）の通信用にスケジューリングされるタイムスロット、およびガードタイム（例えば、通信が行われないバッファタイムスロット）としてスケジューリングされるタイムスロットが含まれる。先に述べたように、ＴＤＤ無線環境の通信は、ほぼ同様の中心ＲＦ周波数にて双方向（順方向リンクおよび逆方向リンク）で発生する。したがって、基地局とユーザ端末との間で効果的に通信するには、通信が双方向で同時に起こってはならない。
【００３８】
例えば、時間ｔ０およびｔ１間では、通信は順方向リンク方向に発生するようにスケジューリングされる。時間ｔ１とｔ２との間では、衝突（データ／信号が１つの周波数にて異なる方向に同時に伝送されること）回避の一助となるよう、ガードバンドタイムがスケジューリングされる。時間ｔ２とｔ３との間では、通信は逆方向リンク方向に発生するようにスケジューリングされ、時間ｔ３とｔ４との間では、ガードバンドタイムがスケジューリングされる。グラフ６００から容易に分かるように、時間ｔ４とｔ５との間および時間ｔ８とｔ９との間でも順方向リンク通信がスケジューリングされている。同様に、時間ｔ６とｔ７との間で、逆方向リンク通信がスケジューリングされ、順方向リンク通信用にスケジューリングされたタイムスロットと逆方向リンク通信用にスケジューリングされたタイムスロットとの間にガードバンドタイムスロットがスケジューリングされている。グラフ６００によって例示されているようなスケジュールは、順方向リンク方向および逆方向リンク方向の通信を増幅する時を判断するために、ＴＤＤ無線通信環境内の中継器において使用できる。凡例６０２は、グラフ６００を分析するうえで役立つよう用意されている。
【００３９】
図７から図９を参照すると、ＴＤＤ無線通信環境において中継器を経由して通信を間欠的に増幅することに関する方法が示されている。説明を簡単にするために、これらの方法は一連の行為として示され説明されているが、これらの方法に従ったいくつかの行為は、ここで示され説明されるものとは別の順序および／または他の行為と同時に発生し得るため、これらの方法は行為の順序に限定されないことは理解および認識すべきである。例えば、方法が状態図のように一連の相互関係のある状態または状況として別に示されてもよいことは当業者であれば理解および認識できるであろう。さらに、図示された行為すべてが以下の方法を実施する必要があるわけではない。
【００４０】
ここで図７のみを参照すると、ＴＤＤ無線通信環境内で中継器を使用する方法７００が示されている。７０２において、中継器が提供される。この中継器は、無線環境内の通信の増幅に関するデータを格納するために使用されるメモリを含むことができる。中継器はさらに、１つ以上の増幅器が所望の方向（例えば、順方向リンク方向または逆方向リンク方向）の信号／データを確実に増幅できるように設定するための、プロセッサおよび対応する回路を含むことができる。７０４において、基地局とユーザ端末との間の通信のスケジュールが受信される。ここでの通信は、ＴＤ−ＳＣＤＭＡのようなＴＤＤプロトコルに準拠して配信される。このスケジュールは、順方向リンク方向および逆方向リンク方向の通信がいつ発生するのか（およびガードタイムがいつスケジューリングされるのか）に関しての情報を伝えるものである。例えば、スケジュールの受信を容易にするために、ユーザ端末内に使用されるデバイスおよび／または機能と同様のものを中継器に関連付けることができ、中継器内のメモリは、スケジュールおよび／またはその派生物を少なくとも一時的に保存するために使用することができる。
【００４１】
７０６において、中継器は受信したスケジュールに従って設定される。例えば、スケジュールに従ってスイッチを特定の回数だけ作動させるようにプロセッサをプログラムすることもできる。７０８において、順方向リンク方向または逆方向リンク方向の通信が中継器によって受信され、７１０において、受信された通信が増幅される。中継器が通信スケジュールに従って設定されているので、通信の増幅は適切な方向で行われる。よって、中継器は振動の影響を受けず、無線環境内に干渉を生じさせない。
【００４２】
ここで図８を参照すると、無線環境内で中継器を使用する方法８００が示されている。８０２において、プロセッサおよびメモリを含むことができる中継器が提供される。プロセッサは例えば、マイクロプロセッサ、マイクロコントローラ、または他の任意の適切な処理デバイスとすることができる。８０４において、第１の増幅器が順方向リンク方向の通信を増幅するように設定され、８０６において、第２の増幅器が逆方向リンク方向の通信を増幅するように設定される。８０８において、基地局とユーザ端末との間の通信に関するスケジュールが受信される。このスケジュールには、通信がいつ順方向リンク方向に発生するのか、通信がいつ逆方向リンク方向に発生するのか関する情報が少なくとも含まれる。既に述べたように、中継器は、スケジュールの受信を可能にするために、ユーザ端末内にある機能および／またはメカニズムと同様のものを含むことができる。
【００４３】
８１０において、順方向リンク方向または逆方向リンク方向の通信が中継器によって受信される。８１２において、スケジュールに従って受信された通信を適切な方向に増幅するために、第１および／または第２の増幅器が使用される。例えば、第１の増幅器は、順方向リンク方向に通信が行われることがスケジューリングされているときには電力が供給され、逆方向リンク方向に通信が行われることがスケジューリングされているときには電力が供給されないようにすることができる。同様に、第２の増幅器は、逆方向リンク方向に通信が行われることがスケジューリングされているときには電力が供給され、順方向リンク方向に通信が行われることがスケジューリングされているときには電力が供給されないようにすることができる。このようにして、ＴＤＤ環境での基地局とユーザ端末との間の通信が適切に増幅されるので、基地局のカバレッジ・エリアを拡大できる。
【００４４】
ここで図９を参照すると、ＴＤＤ無線通信環境において移動中継器を使用する方法９００が示されている。９０２において、移動中または移動が可能なエンティティ（例えば、飛行機、自動車等）に関連する中継器が提供される。９０４において、中継器にセンサが関連付けられる。このセンサは、中継器の位置、中継器の移動方向、中継器の移動速度、中継器の高度およびその類のような中継器に関する様々なパラメータに関するものとすることがきる。さらにセンサは、基地局およびユーザ端末に対しての中継器の位置を示すこともできる。
【００４５】
９０６において、基地局とユーザ端末との間の通信のスケジュールが中継器によって受信される。ここでの通信は、ＴＤ−ＳＣＤＭＡなどのＴＤＤ関連の環境で行われることになる。９０８において、中継器は受信したスケジュールに従って設定される。よって、適切な方向で通信を増幅することができる。９１０において、検知されたパラメータに従ってスケジュールが調節される。例えば、中継器が高速で基地局から離れて移動していく場合、このような中継器によって増幅される通信に関するタイミングに影響が及ぶことがある。したがって、このようなパラメータを踏まえ、受信されたスケジュールを調節することができる。９１２において、順方向リンク方向または逆方向リンク方向の通信が受信され、９１４において、それに応じて通信が増幅される。このようにして方法９００を使用すれば、中継器が移動体であるか中継器が移動による影響を受ける無線ＴＤＤ環境において、中継器を使用できる。
【００４６】
ここで図１０を参照すると、ＴＤＤ無線通信環境において使用できる中継器１０００が示されている。中継器１０００は、順方向リンクおよび逆方向リンクの双方向の通信を受信し、振動することなくまたは干渉を生じさせることなく、このような通信を増幅するために使用される。中継器１０００は、通信用の周波数、コードチャネル、データパス等を監視するセンサ・コンポーネント（sensing component）１００２を含み、どちらの方向に通信が行われているかを動的に判断する。中継器１０００はさらに、受信した通信の保存に使用できるデータストア１００４を含むので、タイムバッファをつくることができる。さらに詳しくは、このデータストアは、センサ・コンポーネント１００２に関する遅延を検知する働きをするために、通信を連続して受信し、一時的に保存できる。例えば、受信した通信が順方向リンク方向に行われていると判断し、受信した通信を望ましく増幅するよう増幅器を設定すれば、かかる時間も少なくなる。データストア１００４は、受信したスケジュールに頼らなくても、通信全体で増幅を行うことができる。つまり、中継器１０００は、受信した信号の検出／分析にて通信を動的に増幅できる。
【００４７】
中継器１０００は、受信した通信の方向をセンサ・コンポーネント１００２が検知すると増幅器１００８を設定する、設定コンポーネント１００６をさらに含むことができる。例えば、設定コンポーネント１００６は増幅器１００８に電力を印加させるようにすることができたり、ＲＦスイッチを特定の方法で切り替えさせることができたりする。次いで、増幅器１００８は、受信した通信を適切な方向で増幅できる。作動中、中継器１０００は順方向リンク方向または逆方向リンク方向の通信を受信し、これらの通信はバッファとして使用されるデータストア１００４に送られる。センサ・コンポーネント１００２は、受信された通信が行われる方向を判断し、その方向を設定コンポーネント１００６に伝える。設定コンポーネント１００６は、この方向に基づいて増幅器１００８を設定し、データストアから通信を（ＦＩＦＯ方式で）引き出す。こうして、増幅器１００８は適切な方向で通信を増幅する。
【００４８】
ここで図１１を参照すると、ＴＤＤ無線通信環境において使用できる中継器１１００および中継器１１００に内蔵された物理コンポーネントが示されている。中継器１１００は、基地局とユーザ端末との間に生じる通信に関するスケジュールを受信するために使用できるアンテナ１１０２を含む。アンテナ１１０２はさらに、前述の基地局とユーザ端末との間の通信を受信するためにも使用できる。例えば、アンテナ１１０２は、前述の２つのエンティティ間の通信に使用する周波数に同調することができる。図示されていないが、アンテナ１１０２はＴＤＤ環境内の伝送通信に接続して使用することもできる。中継器１１００は、アンテナ１１０２によって受信されたスケジュールを保持するために使用されるデータストア１１０４をさらに含むことができる。さらに、データストア１１０４は、中継器１１００に関連するソフトウェアの格納に使用することもできる。さらに、データストア１１０４は揮発性メモリおよび不揮発性メモリを含むことができる。ここでの不揮発性メモリには、読出し専用メモリ（ＲＯＭ）、書き込み可能ＲＯＭ（ＰＲＯＭ）、電気的書き込み可能ＲＯＭ（electrically programmable ROM：ＥＰＲＯＭ）、電気的消去可能書き込み可能ＲＯＭ（electrically erasable ROM：ＥＥＰＲＯＭ）、またはフラッシュメモリを含めることができる。揮発性メモリには、同期ＲＡＭ（synchronous RAM：ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、Ｓｙｎｃｈｌｉｎｋ  ＤＲＡＭ（ＳＬＤＲＡＭ）、およびダイレクトＲａｍｂｕｓ  ＲＡＭ(direct Rambus RAM：ＤＲＲＡＭ)のような様々な形式で利用可能なランダムアクセスメモリ（ＲＡＭ）を含めることができる。さらに、データストア１１０４は、ディスクドライブを含み、および／またはディスクドライブに関連づけることができる。このように、当然のことではあるが、任意の適切なデータ記憶媒体が考えられる。
【００４９】
プロセッサ１１０６は、データストア１１０４内に格納されたソフトウェアを実行するほか、受信されたスケジュールを分析し、増幅器１１０８を設定するために使用できる。例えば、受信されたスケジュールに従って増幅器１１０８を設定することができる。送信器１１１０は、増幅された信号を所望のエンティティに送信するために使用でき、アンテナ１１１２は、それらを接続するのに使用できる。例えば、増幅器が順方向リンク方向の通信を増幅するように設定されている場合、送信器１１１０は、増幅された通信をアンテナ１１１２を経由してユーザ端末に出力できる。
【００５０】
ここで図１２を参照すると、ＴＤＤ無線環境において基地局とユーザ端末との間の通信を容易にするシステム１２００が示されている。システム１２００は、順方向リンク通信をユーザ端末１２０４に送信し、ユーザ端末１２０４からの逆方向リンク通信を受信する基地局１２０２を含む。さらに、基地局１２０２は、ユーザ端末１２０４によって受信されることとなるスケジュールを決定し発行する。このスケジュールは、基地局１２０２とユーザ端末１２０４との間の順方向リンク通信および逆方向リンク通信が発生するタイムスロットを決定するために使用されるものである。増幅器１２０６は、通信を適切な方向で増幅するために使用される。特に、（図１から図４に関して説明された機能を含むことができる）中継器１２０６は、基地局１２０２とユーザ端末との間の通信を適切に増幅することによって、ＴＤＤ無線通信環境において基地局１２０２のカバレッジを拡大する。
【００５１】
ここで図１３を参照すると、ＴＤＤ無線環境において基地局とユーザ端末との間の通信を容易にするシステム１３００が示されている。システム１３００は、基地局１３０２とユーザ端末１３０４との間の通信に使用されるスケジュールを決定し発行する基地局１３０２を含む。ユーザ端末１３０４は、このスケジュールを受信し、基地局１３０２とユーザ端末１３０４との間の通信がこのスケジュールに従って行われる。第２のユーザ端末１３０６は、スケジュールを受信でき、基地局１３０２およびユーザ端末１３０４に対する中継器としても使用できる。例えば、ユーザ端末１３０４は、発行されたスケジュールに従って基地局１３０２とユーザ端末１３０４との間の通信を増幅するために、１つ以上の増幅器を含むことができ、電池電源を使用できる。ユーザ端末１３０６の中継器としての使用を実現するために、ユーザ端末は複数のアンテナ、つまり信号送信用の第１のアンテナおよび信号受信用の第２のアンテナを含むことができる。関連する機能に従って、ユーザ端末１３０６は、図１から図４の中継器に関して説明された方法とほぼ同様の方法にて、単一のアンテナを使用し、受信されたスケジュールに従って信号を増幅することができる。
【００５２】
ここで図１４を参照すると、基地局および中継器に関連するカバレッジ・エリアが示されている。基地局１４０２は、中継器を利用せずに、楕円形１４０４によって示される地理的エリア上に信号を出力できる。したがって、エリア１４０４内にあるユーザ端末は基地局１４０２との通信を行うことができる。中継器１４０６は、基地局１４０２だけでは到達できない領域１４０８まで、基地局のカバレッジを拡大するために使用することができる。このようにして、領域１４０８内のユーザ端末（図示せず）と基地局１４０２との間の双方向通信を行うことができる。このような通信は、中継器１４０６を使わない場合にはできないであろう。
【００５３】
ここで図１５を参照すると、通信ネットワーク１５００の上位レベルのシステムの概要が示されている。領域１５０２は、任意の適切なサービス・エリアとすることができ、任意の適切な数のサブ領域すなわちセクタなどを含むことができる。各セクタは、セクタに対してサービスを提供するために通信信号を送信することができる基地局（例えば、タワー、送信器等）をさらに含むことができる。理想的なネットワーク１５００において、六角形のセクタ１５０４、１５０６、１５０８、および１５１０は、互いに隣接し合っているので、タイル状の配置になっている。各六角形のセクタは、対応する基地局１５１２、１５１４、１５１６および１５１８によってカバレッジを提供される。したがって、例えばユーザ端末１５２０は、カバレッジが基地局１５１６によって提供されるセクタ１５０８に位置している。セクタ１５０４、１５０６、１５０８、および１５１０は六角形として示されているが、当然のことながら基地局１５１２、１５１４、１５１６、および１５１８の実際のカバレッジ・エリアのサイズおよび形状は変わってもよい。さらに、基地局のカバレッジ・エリアは互いに重複でき、基地局は例えば３つのセクタに分割することもできる。無線ネットワークの他の適切な構成も本願発明の発明者らによって考慮されており、本願明細書に添付の特許請求の範囲内に含まれるものとする。
【００５４】
上記の記載事項は、１つ以上の考慮された態様の例を含むものである。当然ながら、これらの態様を記載する目的のためにすべての考えられ得るコンポーネントまたは方法の組み合わせを記載することは不可能であるが、このような態様のさらに種々の組み合わせおよび入れ換えが可能であることは、当業者であればわかることである。したがって、本願明細書に記載の実施形態は、添付の特許請求の範囲の精神および範囲内に収まるこのようなすべての改変、変更および変形を含むものとする。さらに、発明を実施するための最良の形態または特許請求の範囲のいずれかにおいて使用される用語「含む（includes）」の範囲について、用語「備える（comprising）」が特許請求の範囲において移行語として使用される際に包括的であると解釈されるのと同じく包括的な用語であるものとする。
【図面の簡単な説明】
【００５５】
【図１】ＴＤＤ環境において使用できる中継器の上位レベルブロック図である。
【図２】ＴＤＤ環境において使用できる中継器のブロック図であり、別々に順方向リンク方向および逆方向リンク方向に増幅するように設定可能な複数の増幅器を含む中継器を示す図である。
【図３】ＴＤＤ環境において使用できる中継器のブロック図であり、適切な方向に信号を増幅するように選択的に設定可能な１つ以上の増幅器を含む中継器を示す図である。
【図４】ＴＤＤ環境で使用できる中継器のブロック図であり、中継器に対して検知されたパラメータに従って通信スケジュールを調節できる中継器を示す図である。
【図５】ＴＤＤ環境において通信を容易とさせるシステムの図である。
【図６】ＴＤＤ環境において使用できるスケジュールを示したグラフである。
【図７】ＴＤＤ環境において中継器を使用する方法を示す代表的な流れ図である。
【図８】ＴＤＤ環境において使用する中継器内の増幅器を設定する方法を示す代表的な流れ図である。
【図９】中継器に関連付けられたパラメータに応じて、中継器によって受信された通信スケジュールを調節する方法を示す代表的な流れ図である。
【図１０】ＴＤＤ環境において使用できる中継器の図である。
【図１１】ＴＤＤ環境において使用できる中継器のブロック図である。
【図１２】ＴＤＤ環境において信号の双方向の増幅を容易とさせるシステムの図である。
【図１３】ＴＤＤ環境において、中継器としてのユーザ端末の使用を容易にするシステムの図である。
【図１４】中継器が無線環境において使用される際の基地局に対するカバレッジ・エリアの変更を示す図である。
【図１５】無線ネットワークシステムの図である。
【図１】
2009502056.tif 000003
【図２】
2009502056.tif 000004
【図３】
2009502056.tif 000005
【図４】
2009502056.tif 000006
【図５】
2009502056.tif 000007
【図６】
2009502056.tif 000008
【図７】
2009502056.tif 000009
【図８】
2009502056.tif 000010
【図９】
2009502056.tif 000011
【図１０】
2009502056.tif 000012
【図１１】
2009502056.tif 000013
【図１２】
2009502056.tif 000014
【図１３】
2009502056.tif 000015
【図１４】
2009502056.tif 000016
【図１５】
2009502056.tif 000017
【国際調査報告】
2009502056.tif 000018
2009502056.tif 000019
2009502056.tif 000020